(57)【要約】【課題】マルチ絵素型液晶パネルにおいて，走査線数が変化した場合でも，補助容量信号の充電時間確保，及び連続２フレームにおける補助容量信号の極性反転の要件を満たし，映像の乱れを極力抑えること。【解決手段】垂直同期信号の発生ごとに，１つ前のフレームの走査線数と同数の水平同期信号が発生する期間において２極性の保持期間が均衡する信号パターンで極性が切り替わるとともに，１つ前のフレームのときと反対の信号パターンとなる補助容量信号を，一対の基幹信号線ＣＳＬごとに所定期間ずつシフトさせて生成する回路４，５と，垂直同期信号の発生ごとに，１つ前のフレームのときと異なる極性に保持される補助容量信号を生成する回路６と，基幹信号線ＣＳＬに対し，垂直同期信号の発生時以降における割込期間において回路６の生成信号を供給し，その他の期間において回路４，５の生成信号を供給する。【選択図】図１
2010020225.tif 000002
【特許請求の範囲】
【請求項１】
液晶層を挟んで対向する二組の液晶電極対と，有効走査線についての水平同期信号の入力有無に応じて前記二組の液晶電極対それぞれに対する画素階調信号の供給有無を切り換えるスイッチ手段と，供給される補助容量信号の電圧レベルに応じて前記画素階調信号が供給された後の前記二組の液晶電極対それぞれの電位を変化させる一対の補助容量と，を含む画素表示部が映像の画素ごとに設けられ，さらに，それぞれ電圧レベルの異なる一対の前記補助容量信号が入力される一対の基幹信号線を複数組含む基幹信号線群と，走査線上の１ライン分の前記一対の補助容量ごとに該一対の補助容量の一方と前記基幹信号線群におけるいずれか１つの前記基幹信号線とを電気的に接続する複数のバス信号線と，が設けられた液晶パネルを具備してなる液晶表示装置であって，
垂直同期信号が発生するごとに，１つ前のフレームの有効走査線及び非有効走査線の合計本数と同数の水平同期信号が発生する期間において２種類の電圧レベルそれぞれの保持期間が均衡する電圧切替パターンで電圧が切り替わるとともに，該電圧切替パターンが１つ前のフレームのときと反対となる前記一対の補助容量信号を，前記一対の基幹信号線ごとに所定期間ずつシフトさせて生成する第１の補助容量信号生成手段と，
前記垂直同期信号が発生するごとに，電圧レベルが前記２種類の電圧レベルそれぞれに保持されるとともに，その電圧レベルが１つ前のフレームのときと異なる前記一対の補助容量信号を前記一対の基幹信号線ごとに生成する第２の補助容量信号生成手段と，
前記一対の基幹信号線それぞれに対し，前記一対の基幹信号線ごとに予め定められた前記垂直同期信号の発生時以降における割込期間において前記第２の補助容量信号生成手段による生成信号を供給し，その他の期間において前記第１の補助容量信号生成手段による生成信号を供給する供給信号切替手段と，
を具備してなることを特徴とする液晶表示装置。
【請求項２】
前記供給信号切替手段が，１つ前のフレームの有効走査線及び非有効走査線の合計本数が予め定められた下限本数以上である場合にのみ，前記割込期間において前記第２の補助容量信号生成手段による生成信号を前記一対の基幹信号線それぞれに対して供給し，その他の場合には前記割込期間においても前記第１の補助容量信号生成手段による生成信号を前記一対の基幹信号線それぞれに対して供給してなる請求項１に記載の液晶表示装置。
【発明の詳細な説明】
【技術分野】
【０００１】
本発明は，画素階調信号が供給された後の電位を随時変化させることができる二組の液晶電極が映像の画素ごとに設けられた液晶パネルを備えた液晶表示装置に関するものである。
【背景技術】
【０００２】
液晶表示装置において，液晶パネルの視野角特性は重要な品質項目である。
例えば，特許文献１には，映像の画素ごとに，それぞれ異なる液晶容量を有する２つの副画素が設けられた液晶パネル（以下，マルチ絵素型液晶パネルという）について示されている。
図２は，特許文献１に示されるマルチ絵素型液晶パネルにおける１つの画素部ｇ０の部分の等価回路である。
前記マルチ絵素型液晶パネルは，映像の画素ごとに設けられた画素表示部ｇ０が，第１の副画素部ａ０及び第２の副画素部ｂ０を有している。
また，前記画素表示部ｇ０における２つの副画素部ａ０，ｂ０は，それぞれ液晶電極対ａ１，ｂ１，補助容量ａ２，ｂ２及びトランジスタａ３，ｂ３が個別に設けられた部分である。
二組の前記液晶電極対ａ１，ｂ１は，それぞれ液晶層ａ１’，ｂ１’を挟んで対向する電極対（対向電極）である。この液晶電極対ａ１，ｂ１及び液晶層ａ１’，ｂ１’により液晶容量が構成されている。
２つの前記トランジスタａ３，ｂ３は，有効走査線についての水平同期信号（後述するゲートクロック信号ＧＣＫ）の入力有無に応じて二組の前記液晶電極対ａ１，ｂ１それぞれに対する当該画素の階調信号の供給有無を切り換えるスイッチ部である。前記水平同期信号は，有効走査線ごとに設けられた走査信号線ＨＬを通じて両トランジスタａ３，ｂ３に供給される。また，前記階調信号は，映像の縦方向１列の画素群ごとに設けられた階調信号線ＶＬを通じて両トランジスタａ３，ｂ３に供給される。
また，一対の前記補助容量ａ２，ｂ２は，バス信号線ＣＳＢＬを通じて供給される補助容量信号の電圧レベルに応じて，前記階調信号が供給された後の２組の前記液晶電極対ａ１，ｂ１それぞれの電位を変化させるためのコンデンサである。
そして，前記マルチ絵素型液晶パネルにおいては，画素ごとに２つずつ設けられる一対の前記補助容量ａ２，ｂ２それぞれに対し，電圧レベルの異なる一対の補助容量信号が，その電圧レベルを周期的に変化させつつ供給される。これにより，前記階調信号（各画素の階調レベルに応じた電圧レベルの信号）が供給された後の２組の前記液晶電極対ａ１，ｂ１の電位（各液晶容量の電位）が周期的に変化する。このように，前記マルチ絵素型液晶パネルは，１つの映像画素を２つの副画素に区分し，それら２つの副画素の輝度（２つの液晶容量の電位）を積極的に異ならせることにより，視野角特性に優れた映像出力を実現するものである。
【０００３】
ところで，前記マルチ絵素型液晶パネルにおいて，１ライン分の走査線上の各画素における一方の前記補助容量ａ２に対して１つの補助容量信号が一括して供給され，他方の前記補助容量ｂ２に対して他の１つの補助容量信号が一括して供給される。
図３は，各補助容量ａ２，ｂ２に対して補助容量信号を伝送する信号線である基幹信号線ＣＳＬ及び前記バス信号線ＣＳＢＬの接続図である。
前記基幹信号線ＣＳＬは，それぞれ電圧レベルの異なる一対の前記補助容量信号が入力される一対の信号線を複数組含む信号線の集合である。図３は，１２本の前記基幹信号線ＣＳＬ１〜ＣＳＬ１２が設けられた前記マルチ絵素型液晶パネルの例であり，基幹信号線ＣＳＬ１及びＣＳＬ２，ＣＳＬ３及びＣＳＬ４，ＣＳＬ５及びＣＳＬ６，…，ＣＳＬ１１及びＣＳＬ１２の６組がそれぞれ対となっている。従って，例えば，高低２種類の電圧レベルの前記補助容量信号のうち，高レベルの補助容量信号が１本目の基幹信号線ＣＳＬ１に供給されるときには，２本目の基幹信号線ＣＳＬ２には低レベルの補助容量信号が供給される。また，低レベルの補助容量信号が１本目の基幹信号線ＣＳＬ１に供給されるときには，２本目の基幹信号線ＣＳＬ２には高レベルの補助容量信号が供給される。
【０００４】
さらに，前記マルチ絵素型液晶パネルには，有効走査線それぞれに沿って複数本の前記バス信号線ＣＳＢＬが設けられている。
そして，前記バス信号線ＣＳＢＬにより，有効走査線上の１ライン分の一対の前記補助容量ａ２，ｂ２ごとに，その一対の補助容量ａ２，ｂ２の一方と，いずれか１つの前記基幹信号線ＣＳＬとが電気的に接続されている。
【０００５】
図１０は，図２〜図３に示された前記マルチ絵素型液晶パネルに供給される従来の前記補助容量信号の信号パターンの一例を表すタイムチャートである。
図１０には，垂直同期信号であるゲートスタートパルス信号ＧＳＰ，水平同期信号であるゲートクロック信号ＧＣＫ，及び１２本の前記基幹信号線ＣＳＬ１〜ＣＳＬ１２それぞれに供給される補助容量信号ＣＳ１〜ＣＳ１２それぞれのタイムチャートが示されている。以下，前記ゲートクロック信号ＧＣＫ（水平同期信号）の周期を時間の単位とし，その１周期の時間を１Ｈと表記する。また，前記テーとスタートパルス信号ＧＳＰ及び前記ゲートクロック信号ＧＣＫは，いずれもＨｉｇｈレベルの状態からＬｏｗレベルの状態への立ち下がり時に，信号入力（信号ＯＮ）が検知されるものとする。
図１０に示される例は，あるフレームのＶブランク期間（非映像区間）から次のフレームの映像期間に切り替わる時間帯における各信号のタイムチャートである。また，図１０に示される例は，有効走査線数が１０８０，全走査線数が１１３０（即ち，非有効走査線数が５０）である場合の例である。
前述したように，一対の前記補助容量信号（ＣＳ１とＣＳ２，ＣＳ３とＣＳ４，・・・，ＣＳ１１とＣＳ１２）は，それぞれ電圧レベルの異なる信号となっており，周期的にその電圧レベルが切り替えられている。以下，前記補助容量信号ＣＳ１〜ＣＳ１２について，その電圧レベルが同じであることを極性が同じであるといい，その電圧レベルが異なることを極性が異なるという。
【０００６】
また，図１０において，楕円状の破線で示される部分は，各補助容量信号ＣＳ１〜ＣＳ１２の供給先となる前記補助容量ａ２，ｂ２が存在する走査線において，前記ゲートクロック信号ＧＣＫ（水平同期信号）がＯＮとなる（立下りエッジが検出される）時点を表している。即ち，前記楕円状の破線で示される時点において，当該補助容量信号の供給先（補助要領ａ２，ｂ２）が存在する走査線上の前記液晶電極対ａ１，ｂ１に対し，前記諧調信号が供給される。以下，各補助容量信号ＣＳ１〜ＣＳ１２における前記楕円状の破線が記されている時点のことを，液晶作動開始時点と称する。
例えば，図３に示されるように，１〜３本目（１〜３ライン目）の走査線上の前記補助容量ａ２，ｂ２は，１本目及び２本目の前記基幹信号線ＣＳＬ１，ＣＳＬ２に接続されている。そのため，１番目及び２番目の各補助容量信号ＣＳ１，ＣＳ２において，前記ゲートスタートパルス信号ＧＳＰの発生後の１〜３番目の前記ゲートクロック信号ＧＣＫの発生時点が，前記液晶作動開始時点となっている。なお，図１０において，ｔ00は前記ゲートスタートパルス信号ＧＳＰの発生時点を表し，ｔ0は１本目の走査線についての前記ゲートクロック信号ＧＣＫの発生時点を表している。
【０００７】
前記補助容量ａ２，ｂ２は，前記補助容量信号ＣＳ１〜ＣＳ１２が供給されてから定格の電位状態に至るまでに一定の充電時間を要する。例えば，前記ゲートクロック信号ＧＣＫの周波数が１２０Ｈｚである場合，前記補助容量ａ２，ｂ２は，定格（フル充電状態）の９７％の電位状態となるまでに８Ｈ程度以上の充電時間（前記補助容量信号の供給継続時間）を要する。
また，前記補助容量信号ＣＳ１〜ＣＳ１２それぞれにおける前記液晶作動開始時点において，その供給先である前記補助容量ａ２，ｂ２が充電不足の状態である場合，それに対応する前記液晶電極対ａ１，ｂ１の電位が，想定した（設計上の）電位から外れた電位不良の状態となる。そして，この電位不良の状態となった前記液晶電極対ａ１，ｂ１が存在する走査線において，映像の乱れが生じる。
従って，８Ｈの時間で９７％の充電が完了する前記補助容量信号ＣＳ１〜ＣＳ１２は，理想的には前記液晶作動開始時点（楕円状の破線部）に至るまでの８Ｈ以上の期間，或いは，少なくともそれに準ずる５Ｈ以上の期間において同じ極性（電圧レベルが一定）に維持されていることが望ましい。以下，前記補助容量信号ＣＳ１〜ＣＳ１２それぞれについて，前記液晶作動開始時点（楕円状の破線部）に至るまでに同じ極性（電圧レベルが一定）に維持される時間を補助容量充電時間という。図１０に示される例は，前記補助容量信号ＣＳ１，ＣＳ２の前記補助容量充電時間が９Ｈ以上，前記補助容量信号ＣＳ３〜ＣＳ１０の前記補助容量充電時間が８Ｈ以上，前記補助容量信号ＣＳ１１，ＣＳ１２の前記補助容量充電時間が２０Ｈ以上確保されている例である。
【０００８】
また，連続する２つ以上のフレームにおける同一の走査線において，前記液晶作動開始時点における前記補助容量信号の極性が同一極性となった場合，その走査線と他の走査線との間で前記諧調信号のレベル差以上に液晶層の光透過率の差が生じ，それが映像輝度のムラの要因となる。
また，前記補助容量信号ＣＳ１〜ＣＳ１２における２種類の電圧レベルの保持時間の差が大きすぎる場合，即ち，２つの極性のうちの一方に保持する時間の偏りが大きい場合にも，その補助容量信号ＣＳ１〜ＣＳ１２の供給先となる走査線において映像の乱れが生じる。さらに，前記補助容量信号ＣＳ１〜ＣＳ１２を２つの極性のうちの一方に維持する時間が長すぎると，液晶層がダメージを受けて破損につながる恐れもある。
以上より，前記補助容量信号ＣＳ１〜ＣＳ１２は，２極性の保持時間の均衡化，十分な前記補助容量充電時間の確保，及び連続する２フレームにおける極性反転という３つの要求条件を極力満たすよう設定されることが望ましい。
なお，前記２極性の保持時間の均衡化とは，２種類の電圧レベル（２つの極性）それぞれの保持時間を均衡させるという条件である。
また，前記連続する２フレームにおける極性反転とは，連続する２つのフレームにおける同一の走査線において，前記補助容量信号ＣＳ１〜ＣＳ１２の極性が同一とならないという条件である。
【０００９】
また，映像信号においては，前記ゲートスタートパルスＧＳＰ（垂直同期信号）が発生するごとに，１つのフレームの全走査線数が確定する。ここで，有効走査線数は固定（例えば，１０８０）であるので，前記ゲートスタートパルスＧＳＰ（垂直同期信号）が発生するごとに，１つのフレームの非有効査線本数が確定するといってもよい。
そして，前記マルチ絵素型液晶パネルを備えた従来の液晶表示装置においては，新たなフレームの映像信号が入力されて前記ゲートスタートパルスＧＳＰが発生するごとに，現フレームの走査線数が，１つ前のフレームの走査線数と同じになるとの仮定の下に，前記３つの要求条件を極力満たすように前記補助容量信号ＣＳ１〜ＣＳ１２の信号パターン（２つの極性の変化パターン）が設定されていた。
【００１０】
即ち，従来の液晶表示装置では，前記ゲートスタートパルス信号ＧＳＰ（垂直同期信号）が発生するごとに，１つ前のフレームの有効走査線及び非有効走査線の合計本数と同数の前記ゲートクロック信号ＧＣＫ（水平同期信号）が発生する期間（以下，全走査線対応期間という）を基準に前記補助容量信号ＣＳ１〜ＣＳ１２の電圧切替パターンが設定されていた。
前記電圧切替パターンは，前記全走査線対応期間において，一対の前記補助容量信号ごとに，２種類の電圧レベル（２つの極性）それぞれの保持期間が均衡する信号パターンである。
ここで，前記ゲートスタートパルス信号ＧＳＰ（垂直同期信号）の発生後の所定の起点から，１つ前のフレームの有効走査線の本数と同数の前記ゲートクロック信号ＧＣＫ（水平同期信号）が発生する期間のことを映像対応期間Ｗ１と称する。
また，その映像対応期間Ｗ１の終了時点から，１つ前のフレームの非有効走査線数の本数と同数の前記ゲートクロック信号ＧＣＫ（水平同期信号）が発生する期間のことをＶブランク対応期間Ｗ２と称する。
なお，前記映像対応期間Ｗ１の起点は，一対の前記補助容量信号ごと（或いは，一対の前記基幹信号線ごと）に予め定められている。
図１０に示す例では，前記映像対応期間Ｗ１は１０８０Ｈの期間であり，前記Ｖブランク対応期間Ｗ２は前記映像対応期間Ｗ１に続く５０Ｈ（＝全走査線数−有効走査線数＝１１３０−１０８０）の期間である。
また，一対の前記補助容量信号（ＣＳ１１とＣＳ１２，ＣＳ１とＣＳ２，ＣＳ３とＣＳ４，…，ＣＳ９とＣＳ１０）それぞれにおける前記映像対応期間Ｗ１の起点は，前記ゲートスタートパルス信号ＧＳＰ（垂直同期信号）の発生から１Ｈ経過時点，５Ｈ経過時点，９Ｈ経過時点，…，２１Ｈ経過時点である。
【００１１】
図１０に示す例は，一対の補助容量信号ＣＳ１１，ＣＳ１２は，前記ゲートスタートパルス信号ＧＳＰの発生後，１本目の走査線についての前記ゲートクロック信号ＧＣＫの発生時点ｔ0を起点として，１０８０Ｈの期間である前記映像対応期間Ｗ１において，２４Ｈごとに極性が順次反転するように設定される。
また，一対の補助容量信号ＣＳ１，ＣＳ２は，一対の補助容量信号ＣＳ１１，ＣＳ１２の電圧切替パターンの起点ｔ0から４Ｈ経過（シフト）した時点を起点として，前記映像対応期間Ｗ１（１０８０Ｈ）において，２４Ｈごとに極性が順次反転するように設定される。
同様に，一対の補助容量信号（ＣＳ３とＣＳ４，ＣＳ５とＣＳ６，…，ＣＳ９とＣＳ１０）についても，起点を順次４Ｈずつシフトさせて，前記映像対応期間Ｗ１（１０８０Ｈ）において，２４Ｈごとに極性が順次反転するように設定される。
また，各補助容量信号ＣＳ１〜ＣＳ１２は，前記映像対応期間Ｗ１に続く前記Ｖブランク対応期間Ｗ２（５０Ｈ）においては，その期間を分割した期間相互の時間長の差が１Ｈ以下となるように，また，各分割期間が２４Ｈ以下となるように偶数個の期間に分割（図１０の例では，１２Ｈ×２期間及び１３Ｈ×２期間の４分割）し，その分割期間ごとに極性が順次反転するように設定される。
これにより，前記２極性の保持時間の均衡化が実現される。
また，前記Ｖブランク対応期間Ｗ２が２４Ｈ以上であり，走査線数が連続するフレーム間で変化しなければ，前記補助容量信号ＣＳ１〜ＣＳ１２のいずれにおいても，７Ｈ以上の前記補助容量充電時間が確保される。
また，以上に示した従来の前記補助容量信号ＣＳ１〜ＣＳ１２の設定方法によれば，走査線数が連続するフレーム間で変化しなければ，前記液晶動作開始時点における前記補助容量信号ＣＳ１〜ＣＳ１２各々の極性が，１フレームごとに順次逆極性に反転する。これにより，連続する２フレームにおける極性反転も実現される。
【特許文献１】特開２００５−１８９８０４号公報
【発明の開示】
【発明が解決しようとする課題】
【００１２】
しかしながら，従来の液晶表示装置は，走査線数が連続するフレーム間で変化した場合，即ち，非有効走査線数（Ｖブランク期間の長さ）が連続するフレーム間で変化した場合，十分な前記補助容量充電時間の確保，及び連続する２フレームにおける極性反転という２つの要求条件が満たされず，映像に乱れが生じるという問題点があった。
図１１は，走査線数が減少した場合（１１３０→１１２０）における従来の前記補助容量信号ＣＳ１〜ＣＳ１２の信号パターンの一例を表すタイムチャートである。
図１１に示される従来の例では，前記補助容量信号ＣＳ１〜ＣＳ１０の極性が，１本目，５本目，９本目，…，１７本目の走査線（１ライン目）に対応する前記液晶作動開始時点において，図１０に示した同時点での極性に対して反対となっている。これは，１つ前のフレームにおける同じ走査線における前記補助容量信号ＣＳ１〜ＣＳ１０の極性と同極性になってしまっていることを表している。
また，図１１に示される従来の例では，２本目〜４本目，６本目〜８本目，…，１８本目〜２０本目までの各走査線に対応する前記液晶作動開始時点において，前記補助容量充電時間が０Ｈ〜２Ｈの範囲となっており，十分な前記補助容量充電時間（例えば，５Ｈ以上）が確保されていない。
【００１３】
また，図１２は，走査線数が増加した場合（１１３０→１１４８）における従来の前記補助容量信号ＣＳ１〜ＣＳ１２の信号パターンの一例を表すタイムチャートである。なお，図１２の例においては，前記Ｖブランク対応期間Ｗ２が当初想定した長さ以上に伸びるため，前記Ｖブランク対応期間Ｗ２における極性の維持時間が，２４Ｈの期間を上限に延長されている。
図１２に示される従来の例においても，図１１の例と同様に，十分な前記補助容量充電時間が確保されないとい問題と，連続する２フレームにおける極性反転が実現されていないという問題とが生じている。
図１１及び図１２に示される例においては，連続する２フレームの間で走査線数に増減が生じた場合，１本目から２０本目までの走査線において映像の乱れが発生し得る。
従って，本発明は上記事情に鑑みてなされたものであり，その目的とするところは，前記マルチ絵素型液晶パネルを備えた液晶表示装置において，走査線数が変化した場合でも，前記補助容量信号における前記２極性の保持時間の均衡化，十分な前記補助容量充電時間の確保，及び連続する２フレームにおける極性反転という３つの要求条件を極力満たすことができ，その結果，走査線数の変化に起因する映像の乱れを極力抑えることができる液晶表示装置を提供することにある。
【課題を解決するための手段】
【００１４】
上記目的を達成するために本発明に係る液晶表示装置は，次の（１）〜（４）に示される各要素を具備するものである。
（１）次の（１−１）〜（１−３）に示される各要素が設けられた液晶パネル。
（１−１）映像の画素ごとに設けられ，その各々が次の（１−１ａ）〜（１−１ｃ）に示される各要素を含む画素表示部。
（１−１ａ）液晶層を挟んで対向する二組の液晶電極対。
（１−１ｂ）有効走査線についての水平同期信号の入力有無に応じて前記二組の液晶電極対それぞれに対する画素階調信号の供給有無を切り換えるスイッチ手段。
（１−１ｃ）供給される補助容量信号の電圧レベルに応じて前記画素階調信号が供給された後の前記二組の液晶電極対それぞれの電位を変化させる一対の補助容量。
（１−２）それぞれ電圧レベルの異なる一対の前記補助容量信号が入力される一対の基幹信号線を複数組含む基幹信号線群。
（１−３）走査線上の１ライン分の前記一対の補助容量ごとにその一対の補助容量の一方と前記基幹信号線群におけるいずれか１つの前記基幹信号線とを電気的に接続する複数のバス信号線。
（２）垂直同期信号が発生するごとに，１つ前のフレームの有効走査線及び非有効走査線の合計本数と同数の水平同期信号が発生する期間において２種類の電圧レベルそれぞれの保持期間が均衡する電圧切替パターンで電圧が切り替わるとともに，その電圧切替パターンが１つ前のフレームのときと反対となる前記一対の補助容量信号を，前記一対の基幹信号線ごとに所定期間ずつシフトさせて生成する第１の補助容量信号生成手段。
（３）前記垂直同期信号が発生するごとに，電圧レベルが前記２種類の電圧レベルそれぞれに保持されるとともに，その電圧レベルが１つ前のフレームのときと異なる前記一対の補助容量信号を前記一対の基幹信号線ごとに生成する第２の補助容量信号生成手段。
（４）前記一対の基幹信号線それぞれに対し，前記一対の基幹信号線ごとに予め定められた前記垂直同期信号の発生時以降における割込期間において前記第２の補助容量信号生成手段による生成信号を供給し，その他の期間において前記第１の補助容量信号生成手段による生成信号を供給する供給信号切替手段。
なお，前記液晶電極対は，前記画素表示部ごと（画素ごと）に２組以上設けられていればよい。同様に，前記補助容量も，前記画素表示部ごと（画素ごと）に２つ（一対）以上設けられていればよい。
【００１５】
また，前記供給信号切替手段が，１つ前のフレームの有効走査線及び非有効走査線の合計本数が予め定められた下限本数以上である場合にのみ，前記割込期間において前記第２の補助容量信号生成手段による生成信号を前記一対の基幹信号線それぞれに対して供給し，その他の場合には前記割込期間においても前記第１の補助容量信号生成手段による生成信号を前記一対の基幹信号線それぞれに対して供給することが考えられる。
【発明の効果】
【００１６】
本発明によれば，後述するように，連続するフレーム間で走査線数が変化した場合でも，前記補助容量信号における前記２極性の保持時間の均衡化，十分な前記補助容量充電時間の確保，及び連続する２フレームにおける極性反転という３つの要求条件を極力満たすことができる。その結果，本発明に係る液晶表示装置においては，走査線数の変化に起因する映像の乱れが極力抑えられる。
【発明を実施するための最良の形態】
【００１７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る液晶表示装置Ｘの主要部の構成図，図２はマルチ絵素型液晶パネルにおける画素表示部の等価回路，図３はマルチ絵素型液晶パネルにおける基幹信号線ＣＳＬ及びバス信号線ＣＳＢＬの接続図，図４は液晶表示装置Ｘにおける映像対応期間の第１の補助容量信号パターンの一部（開始部）のタイムチャート，図５は液晶表示装置Ｘにおける映像対応期間の第１の補助容量信号パターンの一部（終了部）のタイムチャート，図６は液晶表示装置ＸにおけるＶブランク対応期間の第１の補助容量信号パターンのタイムチャート，図７は液晶表示装置Ｘにおける映像対応期間の第２の補助容量信号パターンの一部（開始部）のタイムチャート，図８は液晶表示装置Ｘにおける映像対応期間の第２の補助容量信号パターンの一部（終了部）のタイムチャート，図９は液晶表示装置ＸにおけるＶブランク対応期間の第２の補助容量信号パターンのタイムチャート，図１０は従来の液晶表示装置における走査線数に変化がない場合の補助容量信号パターンのタイムチャート，図１１は従来の液晶表示装置における走査線数が減少した場合の補助容量信号パターンのタイムチャート  ，図１２は従来の液晶表示装置における走査線数が増加した場合の補助容量信号パターンのタイムチャート，図１３は液晶表示装置Ｘにおける垂直同期信号入力後の補助容量信号固定のパターンのタイムチャート，図１４は液晶表示装置Ｘにおける走査線数が減少した場合の補助容量信号パターンのタイムチャート，図１５は液晶表示装置Ｘにおける走査線数が増加した場合の補助容量信号パターンのタイムチャート，図１６は液晶表示装置Ｘにおける走査線数数に変化がない場合の補助容量信号パターンのタイムチャートである。
【００１８】
まず，図１を参照しつつ，本発明の実施形態に係る液晶表示装置Ｘの構成について説明する。
液晶表示装置Ｘは，例えば，液晶型テレビジョン受像機等であり，前記マルチ絵素型液晶パネルである液晶パネル１と，その液晶パネル１を駆動する液晶駆動回路Ｚとを備えている。
図２を参照しつつ既に説明したように，前記液晶パネル１には，映像の画素ごとに，二組の前記液晶電極対ａ１，ｂ１と，画素階調信号の供給有無を切り換えるスイッチ部である２つの前記トランジスタａ３，ｂ３と，一対の前記補助容量ａ２，ｂ２とを含む前記画素表示部ｇ０が，映像の画素ごとに設けられている。
【００１９】
また，前記液晶パネル１には，一対（２本）×６組の信号線からなる１２本の前記基幹信号線ＣＳＬ（基幹信号線群）が設けられ，一対の前記基幹信号線ＣＳＬごとに，極性の異なる（電圧レベルの異なる）一対の前記補助容量信号が入力される。
さらに，前記液晶パネル１には，走査線上の１ライン分の一対の前記補助容量ａ２，ｂ２ごとに，その一対の補助容量の一方（ａ２又はｂ２）と前記基幹信号線ＣＳＬ１〜ＣＳＬ１２におけるいずれか１つを電気的に接続する１０８１本の前記バス信号線ＣＳＢＬも設けられている。それらの信号線の接続パターンは，図３に示され，その詳細は前述した通りである。
また，水平同期信号である前記ゲートクロック信号ＧＣＫが，映像の走査線に沿って設けられた前記走査線信号ＨＬを通じて前記トランジスタａ３，ｂ３に対して供給される。
また，画素の輝度レベル（液晶の光透過レベル）を表す前記階調信号が，映像の縦方向１列の画素群ごとに設けられた前記階調信号線ＶＬを通じて前記トランジスタａ３，ｂ３に供給される。
【００２０】
また，前記液晶駆動回路Ｚは，図１に示されるように，階調信号生成回路２，走査信号生成回路３，映像対応期間ＣＳ信号生成回路４，Ｖブランク対応期間ＣＳ信号生成回路５，割込ＣＳ信号生成回路６及びＣＳ信号切替回路７を備えている。
前記階調信号生成回路２は，映像データ（映像信号）に基づいて，水平１ライン分（走査線１本分）の映像ごとに，前記階調信号を生成して前記階調信号線ＶＬに出力する回路である。前記階調信号は，垂直同期信号を表す前記ゲートスタートパルス信号ＧＳＰの発生後，前記ゲートクロック信号ＧＣＫに同期して，１本目から１０８０本目までの各走査線上の画素群ごとに生成及び出力される。
前記走査信号生成回路３は，前記ゲートスタートパルス信号ＧＳＰの発生後，前記ゲートクロック信号ＧＣＫを，１本目から１０８０本目までの前記走査線信号ＨＬそれぞれに対して順次出力する回路である。
【００２１】
前記映像対応期間ＣＳ信号生成回路４は，前記ゲートスタートパルス信号ＧＳＰ（垂直同期信号）が発生するごとに，前記映像対応期間Ｗ１（ここでは，１０８０Ｈの期間）における前記補助容量信号ＣＳ１〜ＣＳ１２を生成する回路である。前記補助容量信号ＣＳ１〜ＣＳ１２は，それぞれ前記基幹信号線ＣＳＬ１〜ＣＳＬ１２に出力するための信号である。
図４及び図５は，前記映像対応期間ＣＳ信号生成回路４によって生成される前記補助容量信号ＣＳ１〜ＣＳ１２の第１の信号パターンを表すタイムチャートである。なお，図４及び図５は，それぞれ前記第１の信号パターンの開始部分及び終了部分のタイムチャートを表す。なお，図４〜図１６の各タイムチャートに示される楕円状の破線は，前記液晶作動開始時点を示すマークである。
図４及び図５に示されるように，前記映像対応期間ＣＳ信号生成回路４は，前記ゲートスタートパルス信号ＧＳＰの発生後，１本目の走査線についての前記ゲートクロック信号ＧＣＫの発生時点ｔ0を起点として，１０８０Ｈの期間である前記映像対応期間Ｗ１において，２４Ｈごとに極性が順次反転する一対の補助容量信号ＣＳ１１，ＣＳ１２を生成する。
【００２２】
また，前記映像対応期間ＣＳ信号生成回路４は，一対の前記補助容量信号ＣＳ１１，ＣＳ１２の電圧切替パターンの起点ｔ0から４Ｈ経過（シフト）した時点を起点として，前記映像対応期間Ｗ１（１０８０Ｈの期間）において，２４Ｈごとに極性が順次反転する一対の補助容量信号ＣＳ１，ＣＳ２を生成する。
さらに，前記映像対応期間ＣＳ信号生成回路４は，他の一対の補助容量信号（ＣＳ３とＣＳ４，ＣＳ５とＣＳ６，…，ＣＳ９とＣＳ１０）についても，起点を順次４Ｈずつシフトさせて，前記映像対応期間Ｗ１（１０８０Ｈの期間）において，２４Ｈごとに極性が順次反転する信号を生成する。
【００２３】
また，図７及び図８は，前記映像対応期間ＣＳ信号生成回路４によって生成される前記補助容量信号ＣＳ１〜ＣＳ１２の第２の信号パターンを表すタイムチャートである。なお，図７及び図８は，それぞれ前記第２の信号パターンの開始部分及び終了部分のタイムチャートを表す。
図７及び図８に示される第２の信号パターンは，図４及び図５に示された第１の信号パターンに対して前記補助容量信号ＣＳ１〜ＣＳ１２それぞれの極性を反転させたものである。
前記映像対応期間ＣＳ信号生成回路４は，前記ゲートスタートパルス信号ＧＳＰが発生するごとに，前記第１の信号パターン（図４，図５）に従った前記補助容量信号ＣＳ１〜ＣＳ１２と，前記第２の信号パターン（図７，図８）に従った前記補助容量信号ＣＳ１〜ＣＳ１２とを順次切り替えて生成する。
【００２４】
前記Ｖブランク対応期間ＣＳ信号生成回路５は，前記映像対応期間Ｗ１（１０８０Ｈの期間）に続く前記Ｖブランク対応期間Ｗ２における前記補助容量信号ＣＳ１〜ＣＳ１２を生成する回路である。前述したように，前記Ｖブランク対応期間Ｗ２の起点は，前記映像対応期間Ｗ１の終了時点である。また，前記Ｖブランク対応期間Ｗ２の長さは，１つ前のフレームの非有効走査線の本数分の前記ゲートクロック信号ＧＣＫが発生する期間の長さ（いわゆるＶブランク期間の長さである。
【００２５】
図６は，前記Ｖブランク対応期間ＣＳ信号生成回路５によって生成される前記補助容量信号ＣＳ１〜ＣＳ１２の第１の信号パターンを表すタイムチャートである。なお，図６に示される例は，前記Ｖブランク対応期間Ｗ２の長さが５０Ｈである場合，即ち，１つ前のフレームの全走査線数が１１３０であった場合の例である。
前記Ｖブランク対応期間ＣＳ信号生成回路５は，前記Ｖブランク対応期間Ｗ２を偶数個の期間（以下，分割期間という）に区分し，その分割期間ごとに極性が順次反転する前記補助容量信号ＣＳ１〜ＣＳ１２を生成する。その際，前記分割期間は，それら相互の時間長の差が１Ｈ以下となるように，また，１つの前記分割期間が２４Ｈ以下となるように設定される。図６に示される例は，５０Ｈの前記ブランク対応期間Ｗ２が，１２Ｈ×２期間及び１３Ｈ×２期間の４つの分割期間に区分されている。
また，前記Ｖブランク対応期間ＣＳ信号生成回路５は，前記Ｖブランク対応期間Ｗ２における前記補助容量信号ＣＳ１〜ＣＳ１２の最初の極性を，前記映像対応期間Ｗ１におけるそれら各信号ＣＳ１〜ＣＳ１２の最後の極性に対して反転させた極性に設定する。
即ち，図４及び図５に示された前記映像対応期間Ｗ１における第１の信号パターンと，図６に示された前記ブランク対応期間Ｗ２における第１の信号パターンとが１セットとなる。
【００２６】
また，図９は，前記Ｖブランク対応期間ＣＳ信号生成回路５によって生成される前記補助容量信号ＣＳ１〜ＣＳ１２の第１の信号パターンを表すタイムチャートである。この図９の例も，前記Ｖブランク対応期間Ｗ２の長さが５０Ｈである。図９に示される第２の信号パターンは，図６に示された第１の信号パターンに対して前記補助容量信号ＣＳ１〜ＣＳ１２それぞれの極性を反転させたものである。従って，図７及び図８に示された前記映像対応期間Ｗ１における第２の信号パターンと，図９に示された前記Ｖブランク対応期間Ｗ２における第２の信号パターンとが１セットとなる。
即ち，前記映像対応期間ＣＳ信号生成回路４により図４及び図５に示される第１の信号パターンの前記補助容量信号ＣＳ１〜ＣＳ１２が生成された場合，それに続いて前記Ｖブランク対応期間ＣＳ信号生成回路５により図６に示される第１の信号パターンの前記補助容量信号ＣＳ１〜ＣＳ１２が生成される。
また，前記映像対応期間ＣＳ信号生成回路４により図７及び図８に示される第２の信号パターンの前記補助容量信号ＣＳ１〜ＣＳ１２が生成された場合，それに続いて前記Ｖブランク対応期間ＣＳ信号生成回路５により図９に示される第１の信号パターンの前記補助容量信号ＣＳ１〜ＣＳ１２が生成される。
前記映像対応期間ＣＳ信号生成回路４及び前記Ｖブランク対応期間ＣＳ信号生成回路５により生成された前記補助容量信号ＣＳ１〜ＣＳ１２は，前記ＣＳ信号切替回路７へ伝送される。
【００２７】
以上に示したように，前記映像対応期間ＣＳ信号生成回路４及び前記Ｖブランク対応期間ＣＳ信号生成回路５（第１の補助容量信号生成手段の一例）が，前記ゲートスタートパルス信号ＧＳＰ（垂直同期信号）が発生するごとに生成する前記補助容量信号ＣＳ１〜ＣＳ１２は，１つ前のフレームの有効走査線及び非有効走査線の合計本数と同数の前記ゲートクロック信号ＧＣＫ（水平同期信号）が発生する期間において２種類の電圧レベルそれぞれの保持期間が均衡する電圧切替パターンで電圧が切り替わる（即ち，極性が切り替わる）。さらに，前記映像対応期間ＣＳ信号生成回路４及び前記Ｖブランク対応期間ＣＳ信号生成回路５が生成する前記補助容量信号ＣＳ１〜ＣＳ１２は，電圧切替パターンが１つ前のフレームのときと反対となる一対の前記補助容量信号（ＣＳ１１とＣＳ１２，ＣＳ１とＣＳ２，ＣＳ３とＣＳ４，…，ＣＳ９とＣＳ１０）を，一対の前記基幹信号線（ＣＳＬ１１とＣＳＬ１２，ＣＳＬ１とＣＳＬ２，ＣＳＬ３及びＣＳＬ４，…，ＣＳＬ９とＣＳＬ１０）ごとに４Ｈの期間ずつシフトさせて生成する。
【００２８】
また，前記割込ＣＳ信号生成回路６（第２の補助容量信号生成手段の一例）は，前記ゲートスタートパルス信号ＧＳＰ（垂直同期信号）が発生するごとに，電圧レベルが前記２種類の電圧レベル（２つの極性）それぞれに保持される一対の補助容量信号（ＣＳ１とＣＳ２，ＣＳ３とＣＳ４，…，ＣＳ１１とＣＳ１２）を生成する。これら一対の補助容量信号（ＣＳ１とＣＳ２，ＣＳ３とＣＳ４，…，ＣＳ１１とＣＳ１２）は，それぞれ一対の前記基幹信号線（ＣＳＬ１とＣＳＬ２，ＣＳＬ３及びＣＳＬ４，…，ＣＳＬ１１とＣＳＬ１２）に対して供給するための信号である。その際，前記割込ＣＳ信号生成回路６は，前記補助容量信号ＣＳ１〜ＣＳ１２それぞれの極性（電圧レベル）を，１つ前のフレームのときと異なる極性に設定する。
【００２９】
図１３は，前記割込ＣＳ信号生成回路６により生成される前記補助容量信号ＣＳ１〜ＣＳ１２のタイムチャートである。
図１３に示されるように，前記割込ＣＳ信号生成回路６により生成される前記補助容量信号ＣＳ１〜ＣＳ１２は，その極性が一定に保持（固定）された信号である。但し，図１３に示される前記補助容量信号ＣＳ１〜ＣＳ１２は，１つ前のフレームにおいて前記映像対応期間ＣＳ信号生成回路４によって図４及び図５に示される第１の信号パターンの前記補助容量信号ＣＳ１〜ＣＳ１２が生成された場合の信号である。
一方，１つ前のフレームにおいて前記映像対応期間ＣＳ信号生成回路４によって図７及び図８に示される第２の信号パターンの前記補助容量信号ＣＳ１〜ＣＳ１２が生成された場合には，前記割込ＣＳ信号生成回路６は，図１３に示される信号に対して極性を反転させた前記補助容量信号ＣＳ１〜ＣＳ１２を生成する。
前記映像対応期間ＣＳ信号生成回路４によって生成された前記補助容量信号ＣＳ１〜ＣＳ１２も，前記ＣＳ信号切替回路７に伝送される。
なお，後述するように，前記割込ＣＳ信号生成回路６の生成信号は，それぞれ以下の割込期間にしか使用されないので，前記割込ＣＳ信号生成回路６が，その割込期間にのみ各信号を生成することも考えられる。
・前記補助容量信号ＣＳ１，ＣＳ２の割込期間は，前記ゲートスタートパルス信号ＧＳＰの発生時点から５Ｈの期間である。
・前記補助容量信号ＣＳ３，ＣＳ４の割込期間は，前記ゲートスタートパルス信号ＧＳＰの発生時点から９Ｈの期間である。
・前記補助容量信号ＣＳ５，ＣＳ６の割込期間は，前記ゲートスタートパルス信号ＧＳＰの発生時点を１Ｈ経過した時点から１２Ｈの期間である。
・前記補助容量信号ＣＳ５，ＣＳ６の割込期間は，前記ゲートスタートパルス信号ＧＳＰの発生時点を５Ｈ経過した時点から１２Ｈの期間である。
・前記補助容量信号ＣＳ７，ＣＳ８の割込期間は，前記ゲートスタートパルス信号ＧＳＰの発生時点を９Ｈ経過した時点から１２Ｈの期間である。
・前記補助容量信号ＣＳ１１，ＣＳ１２の割込期間は，前記ゲートスタートパルス信号ＧＳＰの発生時点から１Ｈの期間である。
【００３０】
また，前記ＣＳ信号切替回路７は，前記映像対応期間ＣＳ信号生成回路４及び前記Ｖブランク対応期間ＣＳ信号生成回路５により生成された前記補助容量信号ＣＳ１〜ＣＳ１２（以下，標準補助容量信号ＣＳ１ａ〜ＣＳ１２ａと称する）と，前記割込ＣＳ信号生成回路６により生成された前記補助容量信号ＣＳ１〜ＣＳ１２（以下，割込補助容量信号ＣＳ１ｂ〜ＣＳ１２ｂと称する）とのいずれを前記基幹信号線ＣＳＬ１〜ＣＳＬ１２に供給するかを切り換える回路である。
より具体的には，前記ＣＳ信号切替回路７（供給信号切替手段の一例）は，前記ゲートスタートパルス信号ＧＳＰ（垂直同期信号）の発生時以降における予め定められた割込期間においては，前記割込補助容量信号ＣＳ１ｂ〜ＣＳ１２ｂを前記基幹信号線ＣＳＬ１〜ＣＳＬ１２に供給し，その他の期間においては，前記標準補助容量信号ＣＳ１ａ〜ＣＳ１２ａを前記基幹信号線ＣＳＬ１〜ＣＳＬ１２に供給する。
前記割込期間は，一対の前記基幹信号線（ＣＳＬ１とＣＳＬ２，ＣＳＬ３及びＣＳＬ４，…，ＣＳＬ１１とＣＳＬ１２）ごとに予め定められた期間であり，前述した期間である。
【００３１】
図１４は，走査線数が減少した場合（１１３０→１１２０）の当該液晶表示装置Ｘにおける前記補助容量信号ＣＳ１〜ＣＳ１２の信号パターンの一例を表すタイムチャートである。なお，図１４の例は，図１１に示した従来の液晶表示装置についてのタイムチャートとの比較の対象となる例である。
図１４に示される例では，図１１に示される例と異なり，前記補助容量信号ＣＳ１〜ＣＳ１０の極性が，１本目〜２０本目の走査線（１〜２０ライン目）のいずれに対応する前記液晶作動開始時点においても，図１０に示した同時点での極性と同じ極性となっている。これは，１つ前のフレームにおける同じ走査線における前記補助容量信号ＣＳ１〜ＣＳ１０の極性と異なる極性となっていることを表している。
また，図１４に示される例では，図１１に示される例と異なり，５本目以降の各走査線に対応する前記液晶作動開始時点において，前記補助容量充電時間が５Ｈ以上確保されている。また，７本目以降の各走査線に対応する前記液晶作動開始時点においては，前記補助容量充電時間が７Ｈ以上確保されている。
【００３２】
また，図１５は，走査線数が増加した場合（１１３０→１１４８）の当該液晶表示装置Ｘにおける前記補助容量信号ＣＳ１〜ＣＳ１２の信号パターンの一例を表すタイムチャートである。なお，図１５の例は，図１２に示した従来の液晶表示装置についてのタイムチャートとの比較の対象となる例である。
図１５に示される例においても，図１２に示される例と異なり，前記補助容量信号ＣＳ１〜ＣＳ１０の極性が，１本目〜２０本目の走査線（１〜２０ライン目）のいずれに対応する前記液晶作動開始時点においても，図１０に示した同時点での極性と同じ極性となっている。これは，１つ前のフレームにおける同じ走査線における前記補助容量信号ＣＳ１〜ＣＳ１０の極性と異なる極性となっていることを表している。
また，図１５に示される例においても，図１２に示される例と異なり，５本目以降の各走査線に対応する前記液晶作動開始時点において，前記補助容量充電時間が５Ｈ以上確保されている。また，７本目以降の各走査線に対応する前記液晶作動開始時点においては，前記補助容量充電時間が７Ｈ以上確保されている。
【００３３】
図１４及び図１５に示される例から，連続する２フレームの間で走査線数に増減が生じても，映像の乱れはせいぜい１本目から４本目の走査線，或いは１本目から６本目までの走査線においてしか発生しない。
また，図１６は，走査線数が変改しない場合（１１３０→１１３０）の当該液晶表示装置Ｘにおける前記補助容量信号ＣＳ１〜ＣＳ１２の信号パターンの一例を表すタイムチャートである。なお，図１６の例は，図１０に示した従来の液晶表示装置についてのタイムチャートとの比較の対象となる例である。
図１６に示される例においても，前記補助容量信号ＣＳ１〜ＣＳ１０の極性が，１つ前のフレームにおける同じ走査線における前記補助容量信号ＣＳ１〜ＣＳ１０の極性と異なる極性となっている。
また，図１６に示される例においても，１本目〜２０本目の走査線に対応する前記液晶作動開始時点において，前記補助容量充電時間が７Ｈ以上確保されている。
以上に示したように，液晶表示装置Ｘにおいては，走査線数が変化した場合でも，前記補助容量充電時間の確保の問題が従来に比べて大幅に改善される。
また，液晶表示装置Ｘにおいては，前述した連続する２フレームにおける極性反転，及び前記補助容量信号における前記２極性の保持時間の均衡化という残り２つの要求条件が満たされる。従って，液晶表示装置Ｘにおいては，走査線数の変化に起因する映像の乱れが極力抑えられる。
【００３４】
ところで，前記液晶表示装置Ｘにおいて，走査線の数が顕著に少ない場合，前記ゲートスタートパルス信号ＧＳＰの発生後に前記割込補助容量信号ＣＳ１ｂ〜ＣＳ１２ｂの供給を割り込ませる処理を行うと，２極性の保持時間の均衡化の条件（両極性の保持時間のバランス）が崩れて映像ムラ（帯ムラ）が生じやすくなる。
そこで，前記ＣＳ信号切替回路７が，１つ前のフレームの有効走査線及び非有効走査線の合計本数が予め定められた下限本数（例えば，１１０４本）以上である場合にのみ，前記割込期間において前記割込補助容量信号ＣＳ１ｂ〜ＣＳ１２ｂを前記基幹信号線ＣＳＬに供給し，その他の場合には，前記割込期間においても前記標準補助容量信号ＣＳ１ａ〜ＣＳ１２ａを前記基幹信号線ＣＳＬに供給することが考えられる。
これにより，映像ムラ（帯ムラ）の発生を防止できる。
【産業上の利用可能性】
【００３５】
本発明は，液晶表示装置に利用可能である。
【図面の簡単な説明】
【００３６】
【図１】本発明の実施形態に係る液晶表示装置Ｘの主要部の構成図。
【図２】マルチ絵素型液晶パネルにおける画素表示部の等価回路。
【図３】マルチ絵素型液晶パネルにおける基幹信号線ＣＳＬ及びバス信号線ＣＳＢＬの接続図（一部省略）。
【図４】液晶表示装置Ｘにおける映像対応期間の第１の補助容量信号パターンの一部（開始部）のタイムチャート。
【図５】液晶表示装置Ｘにおける映像対応期間の第１の補助容量信号パターンの一部（終了部）のタイムチャート。
【図６】液晶表示装置ＸにおけるＶブランク対応期間の第１の補助容量信号パターンのタイムチャート。
【図７】液晶表示装置Ｘにおける映像対応期間の第２の補助容量信号パターンの一部（開始部）のタイムチャート。
【図８】液晶表示装置Ｘにおける映像対応期間の第２の補助容量信号パターンの一部（終了部）のタイムチャート。
【図９】液晶表示装置ＸにおけるＶブランク対応期間の第２の補助容量信号パターンのタイムチャート。
【図１０】従来の液晶表示装置における走査線数に変化がない場合の補助容量信号パターンのタイムチャート。
【図１１】従来の液晶表示装置における走査線数が減少した場合の補助容量信号パターンのタイムチャート。
【図１２】従来の液晶表示装置における走査線数が増加した場合の補助容量信号パターンのタイムチャート。
【図１３】液晶表示装置Ｘにおける垂直同期信号入力後の補助容量信号固定のパターンのタイムチャート。
【図１４】液晶表示装置Ｘにおける走査線数が減少した場合の補助容量信号パターンのタイムチャート。
【図１５】液晶表示装置Ｘにおける走査線数が増加した場合の補助容量信号パターンのタイムチャート。
【図１６】液晶表示装置Ｘにおける走査線数数に変化がない場合の補助容量信号パターンのタイムチャート。
【符号の説明】
【００３７】
Ｘ  ：液晶表示装置
１  ：液晶パネル
２  ：階調信号生成回路
３  ：走査信号生成回路
４  ：映像対応期間ＣＳ信号生成回路
５  ：Ｖブランク対応期間ＣＳ信号生成回路
６  ：割込ＣＳ信号生成回路
７  ：ＣＳ信号切替回路
Ｗ１：映像対応期間
Ｗ２：Ｖブランク対応期間
【図１】
2010020225.tif 000003
【図２】
2010020225.tif 000004
【図３】
2010020225.tif 000005
【図４】
2010020225.tif 000006
【図５】
2010020225.tif 000007
【図６】
2010020225.tif 000008
【図７】
2010020225.tif 000009
【図８】
2010020225.tif 000010
【図９】
2010020225.tif 000011
【図１０】
2010020225.tif 000012
【図１１】
2010020225.tif 000013
【図１２】
2010020225.tif 000014
【図１３】
2010020225.tif 000015
【図１４】
2010020225.tif 000016
【図１５】
2010020225.tif 000017
【図１６】
2010020225.tif 000018